(57)【要約】【課題】部品の装着作業が容易であり、かつ、簡単には抜けない部品ホルダを提供する。【解決手段】基台３に弾性変形可能な一対の支持片４の基端部が固定されるとともに、これら支持片４には、軸心を通る仮想線から部品２を二つに分割したと仮定したときの一方の外周面に当接する受け部１７と、他方の外周面に当接する押さえ部１９と、これら受け部１７と押さえ部１９との間を連結状態とするとともに、これら受け部１７及び押さえ部１９により囲まれる部品収容部から外方に延びて屈曲部１８又は湾曲部を介して再度部品収容部に向かうアーム部１５とが、部品収容部の中心線に対して両支持片４で線対称となる配置で設けられ、アーム部１５の先端部間により部品受け入れ口が形成され、アーム部１５の先端部は、部品収容部の外周面に対する略法線に沿って設けられ、該アーム部１５の先端エッジ部により押さえ部１９が形成されている。【選択図】      図１
2013255053.tif 000002
【特許請求の範囲】
【請求項１】
軸心を中心とする筒状の外周面を有する部品を着脱可能に保持するためのホルダであって、基台に、前記部品の外周面の複数箇所に当接する弾性変形可能な一対の支持片の基端部が固定されるとともに、これら支持片には、前記軸心を通る仮想線から前記部品を二つに分割したと仮定したときの一方の外周面に当接する受け部と、他方の外周面に当接する押さえ部と、これら受け部と押さえ部との間を連結状態とするとともに、これら受け部及び押さえ部により囲まれる部品収容部から外方に延びて屈曲部又は湾曲部を介して再度前記部品収容部に向かうアーム部とが、前記部品収容部の中心線に対して両支持片で線対称となる配置で設けられ、前記アーム部の先端部間により部品受け入れ口が形成され、前記アーム部の先端部は、前記部品収容部の外周面に対する略法線に沿って設けられ、該アーム部の先端エッジ部により前記押さえ部が形成されていることを特徴とする部品ホルダ。
【請求項２】
前記基台に、前記部品収容部に前記部品が収容されたときに該部品の前面又は後面の少なくとも一方の面を当接させるストッパ部材が設けられていることを特徴とする請求項１記載の部品ホルダ。
【発明の詳細な説明】
【技術分野】
【０００１】
本発明は、マイクロホン、ケーブル、パイプ等の棒状又は管状部品やボタン電池等の円盤状部品など、軸心を中心とする筒状の外周面を有する部品を着脱可能に保持するためのホルダに関する。
【背景技術】
【０００２】
マイクロホン、ケーブル、パイプ等の棒状又は管状部品やボタン電池等の円盤状部品などを各種機器に保持する場合、例えば特許文献１や特許文献２に記載のホルダが用いられる。
特許文献１に記載のマイクホルダは、略円筒状のマイクを挿入可能な開口部を上端側に形成した本体部と、この本体部に支持された接続端子とを備えている。本体部は、樹脂材により形成され、マイクの外周形状と略同一の内周形状を備えた周壁と、この周壁の下端側に連なる底壁とを備えており、周壁の上端側にアンダーカット部が形成されている。そして、マイクを開口部から強制的に押し入れると、アンダーカット部によりマイクが抜け止めされる構成である。
この特許文献１記載のホルダであると、マイクを開口部から強制的に押し入れることにより保持するため、その装着作業が簡単ではない。また、樹脂材により形成された周壁の内周形状がマイクの外周形状と略同一であるので、保持できるマイクの形状、大きさに制限があり、異なる形状、大きさのマイクを保持することができない。さらに、マイクとの電気的接続のために別部品として接続端子を設けておく必要がある。
【０００３】
これに対して、特許文献２記載の電池ホルダは、円盤形電池の一方の面に接触する板状のプレート部、及び電池の側面に弾性変形した状態で接触する一対のアーム部を有する第１保持部材と、電池の他方の面に接触する第２保持部材とが固定保持部材により保持されており、これらプレート部、両アーム部、第２保持部材及び固定保持部材により囲まれた空間内に電池を収容する構成である。この場合、両保持部材は金属材料により構成されているとともに、両アーム部及び第２保持部材は、先端部がそれぞれ外向きに湾曲形成されており、電池を受け入れる際に両アーム部及び第２保持部材が外側方に拡がるように弾性変形することができるようになっている。
【先行技術文献】
【特許文献】
【０００４】
【特許文献１】特開２００５−２７３４５号明細書
【特許文献２】特許第４７７３１３６号公報
【発明の概要】
【発明が解決しようとする課題】
【０００５】
特許文献２記載の電池ホルダは、両アーム部や第２保持部材が弾性変形することができるので、電池の装着作業が容易であるとともに、その弾性変形機能が有効な範囲内であれば、形状や大きさが異なる電池も受け入れて保持することができる。しかしながら、振動等が生じると、両アーム部材あるいは第２保持部材が撓んで、これらの間から電池が飛び出して抜けてしまうおそれがある。
【０００６】
本発明は、このような事情に鑑みてなされたもので、マイクロホン、ケーブル、パイプ等の棒状又は管状部品やボタン電池等の円盤状部品などの装着作業が容易であり、かつ、簡単には抜けない部品ホルダを提供することを目的とする。
【課題を解決するための手段】
【０００７】
本発明の部品ホルダは、軸心を中心とする筒状の外周面を有する部品を着脱可能に保持するためのホルダであって、基台に、前記部品の外周面の複数箇所に当接する弾性変形可能な一対の支持片の基端部が固定されるとともに、これら支持片には、前記軸心を通る仮想線から前記部品を二つに分割したと仮定したときの一方の外周面に当接する受け部と、他方の外周面に当接する押さえ部と、これら受け部と押さえ部との間を連結状態とするとともに、これら受け部及び押さえ部により囲まれる部品収容部から外方に延びて屈曲部又は湾曲部を介して再度前記部品収容部に向かうアーム部とが、前記部品収容部の中心線に対して両支持片で線対称となる配置で設けられ、前記アーム部の先端部間により部品受け入れ口が形成され、前記アーム部の先端部は、前記部品収容部の外周面に対する略法線に沿って設けられ、該アーム部の先端エッジ部により前記押さえ部が形成されていることを特徴とする。
【０００８】
この部品ホルダでは、一対の支持片のアーム部の先端部が、部品収容部の外周面に対する略法線に沿って、かつ部品収容部の中心線に対して線対称となる配置で設けられていることにより、両支持片におけるアーム部の先端部は、先端の押さえ部に向かうにしたがって漸次接近するように傾斜することになる。言い換えれば、アーム部の先端部は部品収容部から離れるにしたがって漸次広がるように傾斜する。したがって、これらアーム部の先端部が、部品を挿入する際のガイドとなり、これら先端部間の部品受け入れ口から部品を部品収容部の中心線に沿って挿入するように案内することができる。そして、この先端部間を通して部品を挿入すると、両アーム部が部品により相互に押し拡げられるように弾性変形するので、部品を容易に装着することができる。
この場合、両支持片は、これらの弾性変形機能が有効な範囲であれば、部品の外形や大きさが異なるものでも、保持することが可能である。また、両支持片は導電部材により構成することができるので、部品にアース等の電気的接続を必要とする場合でも適用が容易である。
【０００９】
そして、部品を保持した状態では、仮想線から分けられる一方の外周面に受け部が当接し、他方の外周面に押さえ部が当接して、部品の外周面の複数箇所に支持片が当接するとともに、これら受け部及び押さえ部が部品収容部の中心線（部品の収容状態においては部品の中心線でもある）に対して線対称に配置されていることにより、部品を安定して保持することができる。また、アーム部の先端部が部品の略法線に沿って配置され、その先端エッジ部が部品にくい込むように当接していることから、振動等により部品がアーム部先端間の部品受け入れ口から抜け出ようとしても、アーム部を略法線方向に沿って押し出しながら両アーム部を弾性変形させて部品受け入れ口を部品が通過し得るまで拡げる必要があり、これに要する力が大きいために、部品がアーム部の間から抜け出ることは確実に防止される。
【００１０】
本発明の部品ホルダにおいて、前記基台に、前記部品収容部に前記部品が収容されたときに該部品の前面又は後面の少なくとも一方の面を当接させるストッパ部材が設けられているとよい。
部品がストッパ部材に当接することにより、部品の前後方向の位置決めがなされる。したがって、部品の脱落防止をより確実にするとともに、部品がマイク等の場合に、その収音位置を固定し得て、安定した性能を発揮させることができる。
【発明の効果】
【００１１】
本発明の部品ホルダによれば、両支持片のアーム部先端部が部品を挿入する際に部品受け入れ口に部品を案内することができるとともに、支持片の弾性変形により部品を容易に装着することができ、一方、部品装着状態においては、線対称となる複数箇所で部品に当接して部品を安定して保持することができ、また、振動等が生じた場合も、アーム部の先端部を略法線方向に押し出しながら弾性変形させることは容易でなく、したがって、部品がアーム部の間から抜け出ることを確実に防止することができる。
【図面の簡単な説明】
【００１２】
【図１】本発明の一実施形態の部品ホルダに部品を保持させた状態を示す斜視図である。
【図２】図１の正面図である。
【図３】図１の上面図である。
【図４】図２の右側面図である。
【図５】部品が装着されていない状態の部品ホルダを示す正面図である。
【図６】部品ホルダに部品を挿入する直前の状態を示す正面図である。
【図７】本発明の他の実施形態の部品ホルダを示す正面図である。
【発明を実施するための形態】
【００１３】
以下、本発明の部品ホルダの一実施形態を図面を参照しながら説明する。
この実施形態の部品ホルダ１は、例えば異なった地点の複数の相手方と会議を行うための音声会議装置（図示略）に用いられるマイクホルダ（以下、本実施形態ではマイクホルダと称す）であり、複数の会議参加者の中心位置に配置される音声会議装置の筐体の複数位置に設けられ、それぞれマイクカプセル（部品）２が保持される。
マイクカプセル２は、円筒状の外周面及び両端面を有し、外径よりも高さが小さい円筒ブロック状に形成されている。両端面の一方が収音面である。
【００１４】
このマイクカプセル２を保持するためのマイクホルダ１は、筐体の一部により構成される導電性金属板からなる基台３に、弾性変形可能な導電性金属からなる一対の支持片４と、これら支持片４の間に配置される前側ストッパ部材５及び後側ストッパ部材６とを備えており、両支持片４の先端間に形成される部品受け入れ口７からマイクカプセル２を受け入れて、両支持片４及び両ストッパ部材５，６により囲まれた部品収容部８にマイクカプセル２を保持する構成である。収容状態においては、マイクカプセル２は、その収音面が前面に向けられる。
支持片４は、帯板状に形成されており、基台３に固定される取付板１１と一体に形成され、取付板１１から垂直に立ち上げられ、途中の複数箇所で屈曲して形成されている。取付板１１からの立ち上げ部１２は取付板１１に対して垂直に配置されており、立ち上げ部１２の上端からさらに第１傾斜部１３及び第２傾斜部１４を有する屈曲状態のアーム部１５が延びて形成されている。
【００１５】
この場合、両支持片４の立ち上げ部１２どうしは、所定の間隔をあけて平行に配置されている。そして、この立ち上げ部１２の上端からアーム部１５の第１傾斜部１３に至る部分が屈曲しており、アーム部１５の第１傾斜部１３は、その屈曲部１６から上方に向かうにしたがって両支持片４が相互に離間するように傾斜して延びている。そして、このアーム部１５の第１傾斜部１３の根元付近の内側の傾斜面がマイクカプセル２の外周面の下側に当接する受け部１７とされている。これら受け部１７の相互間隔Ｗ１は、収容されるマイクカプセル２の外径Ｄよりも小さく設定されている。図示例では、受け部１７の相互間隔は、ほぼ両立ち上げ部１２の相互間隔に等しくなっている。
【００１６】
また、この受け部１７から斜め上方に延びる第１傾斜部１３に対して、屈曲部１８を介して第２傾斜部１４が連続している。この第２傾斜部１４は、第１傾斜部１３により一旦外方に向けられたアーム部１５を屈曲部１８を経由して再度内方に向けて延ばすように形成されている。また第１傾斜部１３の長さＬ１は第２傾斜部１４の長さＬ２より大きく形成されており、これら第１傾斜部１３と第２傾斜部１４との間の屈曲部１８は鋭角に形成されている。
そして、この第２傾斜部１４の先端エッジ部がマイクカプセル２の外周面の上側に当接する押さえ部１９とされている。これら押さえ部１９の間が部品受け入れ口７とされており、この部品受け入れ口７の幅（押さえ部１９の相互間隔）Ｗ２も、収容されるマイクカプセル２の外径Ｄより小さく設定される。その具体的寸法は、支持片４を構成している材料の弾性率等にも依存し、必ずしも限定されるものではないが、支持片４としてバネ鋼材を用いた場合、無負荷状態においては、マイクカプセル２の外径Ｄに対して、例えば部品受け入れ口７の幅Ｗ２＝（０．６５〜０．７５）Ｄに設定される。
【００１７】
これら両支持片４の受け部１７及び押さえ部１９により囲まれた領域（受け部１７及び押さえ部１９に内接する領域）が部品収容部８とされ、マイクカプセル２は、２個の受け部１７と２個の押さえ部１９とにより外周面の４箇所で支持されることになる。この場合、図２に示すように、マイクカプセル２を、その軸心Ｃを通り基台３の上面と平行な仮想線Ａにより二つに分割したとすると、その一方の外周面に両受け部１７が当接し、他方の外周面に両押さえ部１９が当接する。また、図５に示すように、部品収容部８において両支持片４の対向方向に直交する方向（すなわち基台３の上面に直交する方向）の中心線Ｂを引いたときに、この中心線Ｂに対して両受け部１７及び両押さえ部１９とも線対称に配置される。なお、両支持片４が無負荷時においては、部品収容部８は、収容されるマイクカプセル２の外形より小さい外形に設定される。
【００１８】
また、両アーム部１５の第２傾斜部１４は、部品収容部８の外周面の略法線方向に沿って延びている。そして、この第２傾斜部１４は、前述した中心線Ｂに沿って部品収容部８から離れるにしたがって両支持片４間の相互間隔を大きくするように、中心線Ｂに対して所定の傾斜角で配置されている。このため、この第２傾斜部１４において中心線Ｂに向く側面は、マイクカプセル２を部品収容部８に挿入する際に部品受け入れ口７に誘導するガイド面２０を形成する。
【００１９】
また、両ストッパ部材５，６は、両支持片４の取付板１１の間に、部品収容部８の前端及び後端を区画するようにそれぞれ設けられている。図示例では、各ストッパ部材５，６は金属板からなる基台３の一部を切り起こして形成されており、部品収容部８の前端に１個、後端に２個設けられている。また、これらストッパ部材５，６は、部品収容部８における基台３付近にのみ突出する大きさに形成されており、部品収容部８にマイクカプセル２が収容されたときに、マイクカプセル２の外周部の前面及び後面の一部のみに当接し、マイクカプセル２の前端面（収音面）及び後端面の大部分を露出させた状態に保持するようになっている。これら前側ストッパ部材５と後側ストッパ部材６との無負荷時における相互間隔は、マイクカプセル２の厚さよりも小さく設定される。
【００２０】
このように構成したマイクホルダ１にマイクカプセル２を保持させる場合、図６に示すように、両支持片４の第２傾斜部１４により形成されるガイド面２０にマイクカプセル２を押し当てると、これらガイド面２０が傾斜していることにより、ガイド面２０間の中央、つまり部品受け入れ口７の中央にマイクカプセル２が配置される。この状態からマイクカプセル２を矢印で示すように径方向に押し込むと、アーム部１５が受け部１７あるいは立ち上げ部１２を中心として回動させられながら、両側方に押し拡げられることにより、第２傾斜部１４の先端間の部品受け入れ口７の幅を拡げてマイクカプセル２を部品収容部８に受け入れる。
【００２１】
この場合、支持片４は、図６の実線矢印で示すようにアーム部１５の第１傾斜部１３が主として回動するが、第２傾斜部１４単体でも、第１傾斜部１３との間の屈曲部１８を中心として破線矢印で示すように回動させられようとする。しかし、この第２傾斜部１４は屈曲部１８から先端までの長さＬ２が第１傾斜部１３の長さＬ１に比べて短いので、その回動は小さく、むしろ屈曲部１８に対してモーメントとして作用し、そのモーメントにより、長さの大きい第１傾斜部１３を変形させることになる。このように、マイクカプセル２をガイド面２０に沿って押し込むと、第１傾斜部１３及び第２傾斜部１４の回動、第１傾斜部１３の変形が複合的に生じるが、第１傾斜部１３の回動が支配的であり、実質的にこの第１傾斜部１３の回動により、アーム部１５の先端間が押し拡げられる。
そして、アーム部１５の先端間の部品受け入れ口７を経由して部品収容部８に挿入され、受け部１７に当接すると、それまでの間に押し拡げられていた両アーム部１５は弾性力により復帰し、受け部１７とともに押さえ部１９がマイクカプセル２の外周面に当接した状態となる。また、マイクカプセル２は両ストッパ部材５，６の間に押込まれる。この状態でマイクカプセル２は部品収容部８に収容状態となる（図１及び図２参照）。
【００２２】
この収容状態においては、図５に示すように無負荷時の部品収容部８がマイクカプセル２の外形より小さく設定されていたことにより、両支持片４がマイクカプセル２により押し拡げられて弾性変形しており、その弾性力によりマイクカプセル２が半径方向に圧迫された状態に保持される。また、両ストッパ部材５，６も弾性変形しており、マイクカプセル２を厚さ方向に挟持している。この保持状態において、前述したように、仮想線Ａから分けたマイクカプセル２の一方の外周面に両受け部１７が当接し、他方の外周面に両押さえ部１９が当接して、外周面の４箇所でマイクカプセル２を支持しているとともに、これら受け部１７及び押さえ部１９が中心線Ｂに対して線対称に配置されているので、安定した保持状態となる。
また、アーム部１５の第２傾斜部１４はマイクカプセル２の外周面に対して略法線方向に沿って配置され、その先端エッジ部の押さえ部１９がマイクカプセル２にくい込むように当接していることから、振動等によりマイクカプセル２がアーム部１５の間から抜け出ようとしても、大きな力が必要になり、簡単には抜け出ることはできない。
【００２３】
図２により説明すると、マイクカプセル２が実線矢印で示すように両支持片４の間から抜け出ようとする場合、アーム部１５全体を受け部１７あるいは立ち上げ部１２を中心として回動させなければならないが、そのためには、破線矢印で示すように、支持片４の押さえ部１９をアーム部１５の屈曲部１８を中心として回動させながら、この押さえ部１９に作用している弾性力に抗して、これを略法線方向の外方に向けて押し出す必要があり、これに要する力が極めて大きいものとなる。
【００２４】
したがって、振動等が作用した程度ではマイクカプセル２が両支持片４の間から抜け出ることはなく、これを確実に保持しておくことができる。この場合、両支持片４は、これらの弾性変形機能が有効な範囲であれば、マイクカプセル２の外形や大きさが異なるものでも、保持することが可能である。
また、マイクカプセル２の下向きの外周面を受け部１７が支持しているので、この受け部１７によりマイクカプセル２の高さ位置が固定され、さらに、マイクカプセル２の前面及び後面にもストッパ部材５，６が当接しているので、マイクカプセル２の前後方向の位置も固定される。したがって、収音位置を固定することができ、音声会議装置として安定した性能を発揮することができる。
また、このマイクホルダ１は、基台３及び支持片４が導電性金属材により構成され、マイクカプセル２の外面に接触しているので、これら基台３又は支持片４を介してアース接続することができる。
【００２５】
図７は本発明の他の実施形態を示している。前述の一実施形態の部品ホルダ１ではストッパ部材５，６を基台３に設けたが、この実施形態の部品ホルダ３１では、支持片４にストッパ部材３２を設けている。図７に示す例では、支持片４の受け部１７付近の側部から突出するようにストッパ部材３２が形成されている。その他の構成は一実施形態のものと同様であり、共通要素には同一符号を付して説明は省略する。
前述の一実施形態の場合は、支持片４を基台３に取り付ける際に、基台３のストッパ部材５，６との位置決め作業が必要であったが、この図７に示す実施形態とすることにより、支持片４と基台３との位置決めが簡略化でき、支持片４の基台３への取り付け作業を容易にすることができる。
【００２６】
なお、本発明は上記実施形態に限定されるものではなく、本発明の趣旨を逸脱しない範囲において種々の変更を加えることが可能である。
例えば、支持片は帯板状のものとしたが、ワイヤ等の線状のものでもよい。また、マイクカプセルを保持するマイクホルダ以外にも、ケーブル、パイプ等の棒状又は管状部品やボタン電池等の円盤状部品など、軸心を中心とする筒状の外周面を有する部品を着脱可能に保持することができる。この場合、アース接続可能であるので、アースが必要なワイヤハーネス等の固定にも用いることができる。ただし、本発明としては、支持片が導電性金属材以外の材料、例えば炭素繊維入り強化プラスチック等により形成したものも含むものとする。
また、部品の筒状の外周面は必ずしも円筒状の外周面でなくともよく、多角形状等の外周面であってもよい。
さらに、第１傾斜部と第２傾斜部との間を屈曲部としたが、一実施形態よりも曲率半径を大きくした湾曲部としてもよい。
【符号の説明】
【００２７】
１…マイクホルダ（部品ホルダ）、２…マイクカプセル（部品）、３…基台、４…支持片、５…前側ストッパ部材、６…後側ストッパ部材、７…部品受け入れ口、８…部品収容部、１１…取付板、１２…立ち上げ部、１３…第１傾斜部、１４…第２傾斜部、１５…アーム部、１６…屈曲部、１７…受け部、１８…屈曲部、１９…押さえ部、２０…ガイド面、３１…部品ホルダ、３２…ストッパ部材、Ａ…仮想線、Ｂ…中心線、Ｃ…軸心
【図１】
2013255053.tif 000003
【図２】
2013255053.tif 000004
【図３】
2013255053.tif 000005
【図４】
2013255053.tif 000006
【図５】
2013255053.tif 000007
【図６】
2013255053.tif 000008
【図７】
2013255053.tif 000009